(57)【要約】【課題】省エネ運転を行いつつ、快適性の低下を抑制することができる空調管理装置を提供する。【解決手段】少なくとも１台の室外ユニットと、複数台の室内ユニットとを備える空調機１０を制御する空調管理装置１１であって、複数台の室内ユニットの空調対象空間を複数の小区間に設定し、複数台の室内ユニットの位置を小区間毎に管理する空調位置管理部３１と、少なくとも、小区間検知温度及び小区間検知湿度、又は、小区間検知温度及び小区間検知風速、に基づいて体感温度を求め、体感温度に基づいて目標温度を求める体感温度管理部３９と、目標温度に基づいて温度制御指令を生成する空調制御装置２３とを備え、空調制御装置２３は、小区間検知温度又は小区間検知湿度に基づいて、湿度制御指令を生成し、湿度制御指令及び温度制御指令を空調機１０に供給する。【選択図】図２
2014105966.tif 000002
【特許請求の範囲】
【請求項１】
少なくとも１台の室外ユニットと、複数台の室内ユニットとを備える空調機を制御する空調管理装置であって、
前記複数台の室内ユニットの空調対象空間を複数の小区間に設定し、該複数台の室内ユニットの位置を該小区間毎に管理する空調位置管理部と、
少なくとも、前記小区間のそれぞれで検知された温度である小区間検知温度及び前記小区間のそれぞれで検知された湿度である小区間検知湿度、又は、前記小区間検知温度及び前記小区間のそれぞれで検知された風速である小区間検知風速、に基づいて体感温度を求め、該体感温度に基づいて目標温度を求める体感温度管理部と、
前記目標温度に基づいて温度制御指令を生成する空調制御装置と
を備え、
前記空調制御装置は、
前記小区間検知温度又は前記小区間検知湿度に基づいて、湿度制御指令を生成し、該湿度制御指令及び前記温度制御指令を前記空調機に供給する
ことを特徴とする空調管理装置。
【請求項２】
前記空調制御装置は、
前記目標温度で制御する省エネ制御モードが設定された場合、前記小区間検知温度に基づいて前記湿度制御指令を生成する
ことを特徴とする請求項１に記載の空調管理装置。
【請求項３】
前記空調制御装置は、
前記小区間毎に対応する設定温度で制御する快適性制御モードが設定された場合、前記小区間検知湿度に基づいて前記湿度制御指令を生成する
ことを特徴とする請求項１に記載の空調管理装置。
【請求項４】
前記空調制御装置は、
前記小区間毎に設けられた複数の温度センサーの検知結果及び前記小区間毎に設けられた複数の湿度センサーの検知結果を取得し、
前記小区間毎に、前記複数の温度センサーの検知結果に基づいて求められた温度の平均値である温度平均値を前記小区間検知温度として求め、
前記小区間毎に、前記複数の湿度センサーの検知結果に基づいて求められた湿度の平均値である湿度平均値を前記小区間検知湿度として求め、
前記小区間検知温度と、前記小区間検知湿度と、前記設定温度と、前記小区間に対応した設定湿度と、前記目標温度と、に基づいて、前記湿度制御指令及び前記温度制御指令を前記小区間毎に生成する
ことを特徴とする請求項２又は３に記載の空調管理装置。
【請求項５】
前記小区間のそれぞれで検知された日射量である小区間検知日射量に基づいて、該小区間検知日射量に対応する温度である日射量対応温度を求める日射量管理部を備え、
前記日射量管理部は、
前記小区間検知日射量が予め定められた閾値を超えた場合、前記日射量対応温度を求め、該日射量対応温度に基づいて前記小区間毎に平均をとり、前記日射量対応温度の平均値である日射量対応温度平均値を求め、
前記体感温度管理部は、
前記日射量対応温度平均値に基づいて前記体感温度を求める
ことを特徴とする請求項４に記載の空調管理装置。
【請求項６】
前記小区間毎に、前記複数の温度センサーの検知結果に基づいて前記温度平均値を求める温度管理部と、
前記小区間毎に、前記複数の湿度センサーの検知結果に基づいて前記湿度平均値を求める湿度管理部と、
前記小区間毎に、複数の照度センサーの検知結果に基づいて前記日射量対応温度平均値を求める日射量管理部と
を備え、
前記体感温度管理部は、
前記温度平均値と、前記湿度平均値と、前記日射量対応温度平均値とに基づいて前記体感温度を求める
ことを特徴とする請求項５に記載の空調管理装置。
【請求項７】
請求項１〜６の何れか一項に記載の空調管理装置と、
前記空調管理装置からの制御指令により制御される空調機と
を備えたことを特徴とする空気調和システム。
【発明の詳細な説明】
【技術分野】
【０００１】
本発明は、空調管理装置及び空気調和システムに関する。
【背景技術】
【０００２】
従来の空調管理装置のうち、管理している複数の室内機に対し、制御目標値に制限をかける室内機と、制御目標値に制限をかけない室内機とを電力量に基づいて決定し、空調制御を行っているものがあった（例えば、特許文献１参照）。
【先行技術文献】
【特許文献】
【０００３】
【特許文献１】特許第４１４１７１３号公報（段落［００８２］）
【発明の概要】
【発明が解決しようとする課題】
【０００４】
従来の空調管理装置（特許文献１）においては、管理している複数の室内機のうち、制御目標値に制限をかける室内機と、制御目標値に制限をかけない室内機とを分けることで、全体として消費電力を抑制し、省エネ運転を行っていた。
よって、制限がかけられている室内機で空気調和されている空調対象空間は、制御目標値に制限がかけられた状態であるため、快適性が低下していた。
【０００５】
したがって、従来の空調管理装置（特許文献１）は、消費電力を抑制して省エネ運転が行われているものの、快適性を低下させているという問題点があった。
【０００６】
本発明は、上記のような問題点を解決するためになされたもので、省エネ運転を行いつつ、快適性の低下を抑制することができる空調管理装置及び空気調和システムを提供することを目的とするものである。
【課題を解決するための手段】
【０００７】
本発明の空調管理装置は、少なくとも１台の室外ユニットと、複数台の室内ユニットとを備える空調機を制御する空調管理装置であって、前記複数台の室内ユニットの空調対象空間を複数の小区間に設定し、該複数台の室内ユニットの位置を該小区間毎に管理する空調位置管理部と、少なくとも、前記小区間のそれぞれで検知された温度である小区間検知温度及び前記小区間のそれぞれで検知された湿度である小区間検知湿度、又は、前記小区間検知温度及び前記小区間のそれぞれで検知された風速である小区間検知風速、に基づいて体感温度を求め、該体感温度に基づいて目標温度を求める体感温度管理部と、前記目標温度に基づいて温度制御指令を生成する空調制御装置とを備え、前記空調制御装置は、前記小区間検知温度又は前記小区間検知湿度に基づいて、湿度制御指令を生成し、該湿度制御指令及び前記温度制御指令を前記空調機に供給するものである。
【発明の効果】
【０００８】
本発明は、空調対象空間を複数の小区間に設定し、小区間毎に求めた体感温度に基づいて制御目標値を補正することで、省エネ運転を行いつつ、快適性の低下を抑制することができるという効果を有する。
【図面の簡単な説明】
【０００９】
【図１】本発明の実施の形態１における空気調和システム１の概略構成を示す図である。
【図２】本発明の実施の形態１における空調管理装置１１の機能の構成例を示すブロック図である。
【図３】本発明の実施の形態１における空調位置管理部３１の入出力データ例を示す図である。
【図４】本発明の実施の形態１における室外ユニットアドレスと室内ユニットアドレスとブロック番号とフロア番号との紐付け例を示す図である。
【図５】本発明の実施の形態１における温度管理部３３の入出力データ例を示す図である。
【図６】本発明の実施の形態１における湿度管理部３５の入出力データ例を示す図である。
【図７】本発明の実施の形態１における日射量管理部３７の入出力データ例を示す図である。
【図８】本発明の実施の形態１における体感温度管理部３９の入出力データ例を示す図である。
【図９】本発明の実施の形態１における空調機管理部４１の入出力データ例を示す図である。
【図１０】本発明の実施の形態１における省エネ制御及び快適性制御に用いる各種制御パラメータの一例を示す図である。
【図１１】本発明の実施の形態１における空調管理装置１１と空調機１０との連携制御例を説明するフローチャートである。
【発明を実施するための形態】
【００１０】
以下、本発明の実施の形態について、図面を用いて詳細に説明する。
【００１１】
実施の形態１．
図１は、本発明の実施の形態１における空気調和システム１の概略構成を示す図である。図１において、本発明の実施の形態１における空気調和システム１は、空調対象空間を複数の小区間に設定し、小区間毎に求めた体感温度に基づいて制御目標値を補正することで、省エネ運転を行いつつ、快適性の低下を抑制するものである。以下、その詳細について説明する。
【００１２】
図１に示すように、空気調和システム１は、空調機１０と、詳細については図２を用いて後述する空調管理装置１１とを備える。空調機１０は、室外ユニット７１−１、室外ユニット７１−２、室内ユニット８１−１、室内ユニット８１−２、室内ユニット８１−３、室内ユニット８１−４、室内ユニット８１−５、室内ユニット８１−６、室内ユニット８１−７、室内ユニット８１−８、室内ユニット８１−９、及び室内ユニット８１−１０を備える。
【００１３】
空調管理装置１１と、室外ユニット７１−１及び室外ユニット７１−２とは、専用通信線又はＬＡＮ（Ｌｏｃａｌ  Ａｒｅａ  Ｎｅｔｗｏｒｋ）で接続され、各種信号の送受信が可能となっている。室外ユニット７１−１と、室内ユニット８１−１〜８１−５とは、専用通信線又はＬＡＮで接続され、各種信号の送受信が可能となっている。室外ユニット７１−２と、室内ユニット８１−６〜８１−１０とは、専用通信線又はＬＡＮで接続され、各種信号の送受信が可能となっている。空調管理装置１１と、室内ユニット８１−１〜８１−１０とは、室外ユニット７１−１又は室外ユニット７１−２を介して、各種信号の送受信が可能となっている。
【００１４】
室内ユニット８１−１〜８１−５同士は、専用通信線又はＬＡＮで接続され、各種信号の送受信が可能となっている。室内ユニット８１−６〜８１−１０同士は、専用通信線又はＬＡＮで接続され、各種信号の送受信が可能となっている。室内ユニット８１−１〜８１−５と、室内ユニット８１−６〜８１−１０とは、室外ユニット７１−１又は室外ユニット７１−２を介して、各種信号の送受信が可能となっている。
【００１５】
なお、上記の説明では有線通信について説明したが、特にこれに限定しない。例えば、無線通信であってもよい。無線通信である場合、その通信プロトコルは特に限定しない。また、上記で説明した専用通信線又はＬＡＮは有線通信であるが、その通信プロトコルについても特に限定しない。
【００１６】
空調管理装置１１は、室外ユニット７１−１、室外ユニット７１−２、及び室内ユニット８１−１〜８１−１０に対し、各種制御指令又は各種データ等の各種信号を供給する。例えば、空調管理装置１１は、室外ユニット７１−１、室外ユニット７１−２、及び室内ユニット８１−１〜８１−１０に対し、運転開始命令、運転停止命令、又は各種空調制御に関する命令等、例えば、温度制御指令又は湿度制御指令等を供給する。なお、上記で説明した各種信号は一例を示し、特にこれに限定しない。
【００１７】
空調機１０は、図示しない冷媒回路を備え、冷房運転や暖房運転により空調対象空間に対して冷風又は温風等を供給する。冷媒回路は、冷媒が充填されている。冷媒回路は、冷媒が冷媒配管内を循環することで蒸気圧縮式の冷凍サイクルが行われる。冷媒回路は、例えば、室外ユニット７１−１及び室外ユニット７１−２のそれぞれには、圧縮機（図示せず）、室外ユニット側熱交換器（図示せず）、室外ユニット側ファン（図示せず）、室外ユニット側膨張弁（図示せず）、及び四方弁（図示せず）を備える。また、冷媒回路は、室内ユニット８１−１〜８１−１０のそれぞれには、室内ユニット側熱交換器（図示せず）、室内ユニット側ファン（図示せず）、及び室内ユニット側膨張弁（図示せず）を備える。冷媒回路は、圧縮機、四方弁、室外ユニット側熱交換器、室外ユニット側膨張弁、室内ユニット側膨張弁、及び室内ユニット側熱交換器が冷媒配管（図示せず）を介して接続されている。
【００１８】
なお、室外ユニット７１−１及び室外ユニット７１−２を総称する場合、室外ユニット７１と称する。また、室内ユニット８１−１〜８１−１０を総称する場合、室内ユニット８１と称する。
【００１９】
室外ユニット７１は、空調管理装置１１等からの制御指令に基づいて、圧縮機、四方弁、室外ユニット側熱交換器、室外ユニット側ファン、及び室外ユニット側膨張弁を制御する。具体的には、室外ユニット７１は、制御指令に基づいて圧縮機を駆動させることで、吸入した冷媒を圧縮させ、任意の圧力を加えて吐出させる。室外ユニット７１は、制御指令に基づいて四方弁を駆動させ、冷媒配管の経路を切り換えることで、圧縮機から吐出された高温高圧の冷媒を室外ユニット側熱交換器又は室内ユニット側熱交換器へ供給し、冷房運転と、暖房運転とを切り換える。室外ユニット７１は、室外ユニット側熱交換器を通過する冷媒と、室外ユニット側熱交換器の周囲の空気との熱交換を行わせる。室外ユニット７１は、制御指令に基づいて室外ユニット側ファンを駆動させることで、室外ユニット側熱交換器に熱交換させる空気を供給し、室外ユニット側熱交換器での熱交換を促進させる。室外ユニット７１は、制御指令に基づいて室外ユニット側膨張弁の開度を調整させることで、冷媒配管内を流通する冷媒の流量を制御する。
【００２０】
室内ユニット８１は、空調管理装置１１等からの制御指令に基づいて、室内ユニット側熱交換器、室内ユニット側ファン、及び室内ユニット側膨張弁を制御する。具体的には、室内ユニット８１は、室内ユニット側熱交換器を通過する冷媒と、室内ユニット側熱交換器の周囲の空気との熱交換を行わせる。室内ユニット８１は、制御指令に基づいて室内ユニット側ファンを駆動させることで、室内ユニット側熱交換器に熱交換させる空気を供給し、室内ユニット側熱交換器での熱交換を促進させる。室内ユニット８１は、制御指令に基づいて室内ユニット側膨張弁の開度を調整させることで、冷媒配管内を流通する冷媒の流量を制御する。
【００２１】
なお、室内ユニット８１は、空調管理装置１１からの制御指令を室外ユニット７１を介して受信するが、空調管理装置１１から直接的に制御指令を受信してもよい。また、室外ユニット７１及び室内ユニット８１は、図示しないリモートコントローラーからの制御指令に基づいて上記で説明した制御が実行されてもよい。また、室外ユニット７１及び室内ユニット８１は、スマートフォン等からの外部の制御指令に基づいて上記で説明した制御が実行されてもよい。
【００２２】
室外ユニット７１及び室内ユニット８１に設定されるアドレスについて説明する。アドレスは、室外ユニット７１−１、室外ユニット７１−２、及び室内ユニット８１−１〜８１−１０のうち、１台の機器をネットワーク内で特定させるため、機器同士でアドレスが重複しない値が設定される。
【００２３】
具体的には、室外ユニット７１−１には、アドレス０５１が設定されている。室外ユニット７１−２には、アドレス０５２が設定されている。室内ユニット８１−１にはアドレス００１が設定されている。室内ユニット８１−２にはアドレス００２が設定されている。室内ユニット８１−３にはアドレス００３が設定されている。室内ユニット８１−４にはアドレス００４が設定されている。室内ユニット８１−５にはアドレス００５が設定されている。室内ユニット８１−６にはアドレス００６が設定されている。室内ユニット８１−７にはアドレス００７が設定されている。室内ユニット８１−８にはアドレス００８が設定されている。室内ユニット８１−９にはアドレス００９が設定されている。室内ユニット８１−１０にはアドレス０１０が設定されている。
【００２４】
室外ユニット７１に設定されるアドレスは、例えば、０５１から１００であるが、特にこれに限定しない。室内ユニット８１に設定されるアドレスは、例えば、００１から０５０であるが、特にこれに限定しない。なお、図示は省略されているが、リモートコントローラーに設定されるアドレスは、例えば、１０１から２００であるが、特にこれに限定しない。また、各アドレスの設定は、例えば、図示しないロータリースイッチ等で行われる。なお、上記で設定したアドレスの数値は一例を示すだけであり、特にこれに限定しない。また、上記で説明した室外ユニット７１の台数及び室内ユニット８１の台数は、一例を示すだけであり、特に限定しない。また、上記で説明したアドレスの設定方法は一例を示すだけであり、特にこれに限定しない。
【００２５】
室内ユニット８１に設定されるフロア番号について説明する。フロア番号は、複数あるフロアのうち、１つのフロアを特定させるため、各フロア番号は重複しない値が設定される。例えば、室内ユニット８１−１〜８１−１０には、フロア番号０１が設定されている。フロア番号は、例えば、高層階のビルにおいて、特定の階数を特定させるために設定されてもよい。また、例えば、フロア番号は、同一の階数内において、特定の領域を特定させるために設定されてもよい。
【００２６】
例えば、室内ユニット８１が１階の東側に配置されたと想定した場合、フロア番号０１が設定されてもよい。また、例えば、室内ユニット８１が１階の西側に配置されたと想定した場合、フロア番号０２が設定されてもよい。このような設定で、空調管理装置１１側では、１階東側の室内ユニット８１だけを検索し、その設定状態等を表示させることができる。また、このような設定で、空調管理装置１１側では、１階西側の室内ユニット８１だけを検索し、その設定状態等を表示させることができる。ここで、上記の説明では、表示用にフロア番号が設定されているが、特にこれに限定しない。換言すれば、フロア番号の設定値は論理的なものであり、物理的配置に依存するものではなく、室内ユニット８１の管理形態に応じて任意の値が設定される。
【００２７】
なお、上記の説明では、フロア番号が１桁分だけ設定される一例について説明したが、特にこれに限定しない。例えば、複数桁のフロア番号が設定されてもよい。また、各フロア番号の設定は、例えば、空調管理装置１１において、予め設定されたアドレス番号と紐付けさせることで設定されてもよいが、特に設定方法については限定しない。
【００２８】
室内ユニット８１に設定されるブロック番号について説明する。ブロック番号は、複数あるブロックのうち、１つのブロックを特定させるため、各ブロック番号は重複しない値が設定される。例えば、室内ユニット８１−１〜８１−３には、ブロック番号０１が設定されている。例えば、室内ユニット８１−４には、ブロック番号０２が設定されている。例えば、室内ユニット８１−５及び８１−６には、ブロック番号０３が設定されている。例えば、室内ユニット８１−７及び８１−８には、ブロック番号０４が設定されている。室内ユニット８１−９には、ブロック番号０５が設定されている。室内ユニット８１−１０には、ブロック番号０６が設定されている。
【００２９】
ブロック番号は、例えば、小規模のビルであれば、テナント毎に電気料金が課金されるので、テナント毎にブロック番号が設定されてもよい。例えば、同一のビル内に、飲食店、理容室、及び書店があれば、飲食店にブロック番号０１が設定され、理容室にブロック番号０２が設定され、書店にブロック番号０３が設定されてもよい。
【００３０】
ブロック番号は、例えば、大規模のビルであれば、同じ会社毎に電気料金が課金されるので、同じ会社毎にブロック番号が設定されてもよい。例えば、同じ会社が１フロアを借りている場合、その１フロアのうち、廊下側にブロック番号０１が設定され、窓際にブロック番号０２が設定され、中央側にブロック番号０３が設定され、壁際にブロック番号０４が設定されてもよい。この場合は、熱量が変わる領域毎、つまり、省エネ単位毎にブロック番号が設定されている。ここで、上記の説明では、制御用にブロック番号が設定されているが、特にこれに限定しない。換言すれば、ブロック番号の設定値は論理的なものであり、物理的配置に依存するものではなく、室内ユニット８１の管理形態に応じて任意の値が設定される。
【００３１】
なお、上記の説明では、ブロック番号が０１〜０６まで設定される一例について説明したが、特にこれに限定しない。例えば、ブロック番号が任意のＮ桁（Ｎは自然数）まで設定されてもよい。また、各ブロック番号の設定は、例えば、空調管理装置１１において、予め設定されたアドレス番号と紐付けさせることで設定されてもよいが、特に設定方法については限定しない。
【００３２】
図２は、本発明の実施の形態１における空調管理装置１１の機能の構成例を示すブロック図である。
【００３３】
なお、空調管理装置１１の各機能をハードウェアで実現するか、ソフトウェアで実現するかは問わない。つまり、本実施の形態で説明される各ブロック図は、ハードウェアのブロック図と考えても、ソフトウェアによる機能ブロック図と考えてもよい。例えば、各ブロック図は、回路デバイス等のハードウェアで実現されてもよく、プロセッサ等の演算装置上で実行されるソフトウェアで実現されてもよい。
【００３４】
また、空調管理装置１１で利用される各種データは、磁気ディスク、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、若しくはＢＬＵ−ＲＡＹ  ＤＩＳＣ（登録商標））、光磁気ディスク（ＭＤ（Ｍｉｎｉ−Ｄｉｓｃ））、又は半導体メモリ等よりなるメディアで構成されるだけでなく、空調管理装置１１に搭載されるＲＯＭ（Ｒｅａｄ  Ｏｎｌｙ  Ｍｅｍｏｒｙ）又はハードディスク等で構成されてもよい。
【００３５】
図２に示すように、空調管理装置１１は、省エネ制御装置２１、空調制御装置２３、操作部２５、及び表示部２７を備える。空調管理装置１１は、空調機１０の設定状態、運転状態、及び制御状態等を管理すると共に、空調機１０に各種制御信号等を供給することで、空調機１０を制御する。
【００３６】
省エネ制御装置２１は、空調位置管理部３１、温度管理部３３、湿度管理部３５、日射量管理部３７、及び体感温度管理部３９を備える。省エネ制御装置２１は、各種演算を実行することで、空調制御装置に対し、省エネ制御指令を供給する。なお、空調位置管理部３１、温度管理部３３、湿度管理部３５、日射量管理部３７、及び体感温度管理部３９の詳細については図３〜８を用いて後述する。
【００３７】
空調制御装置２３は、空調機管理部４１及び空調機通信管理部４３を備える。空調制御装置２３は、省エネ制御を実行するか、又はユーザーの設定に基づいた快適性制御を実行するかを判定し、空調機１０に何れかの制御指令を供給する。なお、空調機管理部４１及び空調機通信管理部４３の詳細については図９を用いて後述する。
【００３８】
省エネ制御装置２１及び空調制御装置２３は、同一の機器に実装されてもよく、異なる機器に実装されてもよい。例えば、１つのサーバー装置に両方の機能が組み込まれていてもよい。
【００３９】
具体的には、１つのサーバー装置に別々の回路基板上で布線論理回路として組み込まれていてもよく、１つのサーバー装置に同一の回路基板上で布線論理回路として組み込まれていてもよい。また、１つのサーバー装置に論理的に２つの機能が実装されていてもよい。例えば、１つのサーバー装置に仮想化ソフトウェアを利用することで、２つの異なる機能が１つのサーバー装置に実装されるようにしてもよい。また、省エネ制御装置２１の機能を実装したサーバーと、空調制御装置２３の機能を実装したサーバーとを論理的に構築し、同一の機器内で動作させるように設定してもよく、異なる機器でそれぞれの機能を実装したサーバーを動作させるようにしてもよい。
【００４０】
また、異なるサーバー装置にそれぞれの機能が組み込まれていてもよい。また、互いに離れた場所にそれぞれの機能を搭載した機器を点在させておき、有線通信又は無線通信により、互いの機能が実現するものであってもよい。また、実装対象機器は、サーバー装置でなくてもよい。
【００４１】
要するに、省エネ制御装置２１及び空調制御装置２３の実現手段は特に限定するものではなく、それぞれの機能が実現できるものであればよい。
【００４２】
操作部２５は、各種操作を受け付けるものである。例えば、室外ユニット７１等のアドレス等の設定を受け付ける。表示部２７は、各種設定状態等を表示するものである。例えば、設定されたフロア番号に基づいて、該当する室内ユニット８１を検索し、設定状態等を表示する。
【００４３】
図３は、本発明の実施の形態１における空調位置管理部３１の入出力データ例を示す図である。空調位置管理部３１は、空調機１０、例えば、室内ユニット８１が設置されている位置情報を管理するものである。図３に示すように、空調位置管理部３１には、室内ユニットアドレス、室外ユニットアドレス、フロア番号、及びブロック番号が入力される。空調位置管理部３１は、室内ユニットアドレス、室外ユニットアドレス、フロア番号、及びブロック番号を紐付け処理し、その入力データ紐付け結果を出力する。
【００４４】
図４は、本発明の実施の形態１における室外ユニットアドレスと室内ユニットアドレスとブロック番号とフロア番号との紐付け例を示す図である。図４に示すように、室外ユニットアドレスと、室内ユニットアドレスと、ブロック番号と、フロア番号とが紐付けされる。
【００４５】
例えば、室外ユニットアドレス０５１は、室内ユニットアドレス００１〜００５に紐付けされる。室外ユニットアドレス０５２は、室内ユニットアドレス００６〜０１０に紐付けされる。室内ユニットアドレス００１、００２、及び００３は、ブロック番号００１に紐付けされ、ブロック番号００１は、フロア番号００１に紐付けされる。室内ユニットアドレス００４は、ブロック番号００２に紐付けされ、ブロック番号００２は、フロア番号００１に紐付けされる。室内ユニットアドレス００５及び００６は、ブロック番号００３に紐付けされ、ブロック番号００３は、フロア番号００１に紐付けされる。室内ユニットアドレス００７及び００８は、ブロック番号００４に紐付けされ、ブロック番号００４は、フロア番号００１に紐付けされる。室内ユニットアドレス００９は、ブロック番号００５に紐付けされ、ブロック番号００５は、フロア番号００１に紐付けされる。室内ユニットアドレス０１０は、ブロック番号００６に紐付けされ、ブロック番号００６は、フロア番号００１に紐付けされる。
【００４６】
上記で説明したように、各ブロック番号には、室内ユニットアドレスがそれぞれ設定されているため、ブロック番号を指定することで、ブロック番号単位で室内ユニットアドレスを管理することができる。つまり、室内ユニット８１は、ブロック番号単位で管理されることが可能となる。例えば、ブロック番号００１が廊下側に対応する領域であると想定すると、ブロック番号００１を特定することで、ブロック番号００１に対応する室内ユニットアドレス００１〜００３が特定される。つまり、ブロック番号００１を特定することで、室内ユニット８１−１〜８１−３が特定される。この結果、廊下側の領域を空調対象空間とする室内ユニット８１が特定されることとなる。
【００４７】
なお、位置情報は、上記の説明では室外ユニットアドレスと、室内ユニットアドレスと、ブロック番号と、フロア番号とが紐付けされることで管理される一例について説明したが、特にこれに限定しない。また、位置情報は、ユーザー等が空調管理装置１１に対して各種操作をすることで任意に設定されるが、特にこれに限定しない。例えば、空調管理装置１１が管理している空調機１０から空調制御装置２３を介して取得してもよい。次に、ブロック番号単位で各種データ処理が実行される一例について図５〜９を用いて説明する。
【００４８】
図５は、本発明の実施の形態１における温度管理部３３の入出力データ例を示す図である。温度管理部３３は、管理している機器から取得した温度情報を管理するものである。ここで、温度センサー部１０１−１〜１０１−Ｎ（Ｎは自然数）は、温度管理部３３が管理している機器であると想定する。図５に示すように、温度管理部３３は、温度センサー部１０１−１〜１０１−Ｎから供給される温度データとブロック番号との組データを取得する。温度管理部３３は、温度データとブロック番号とが供給された場合、ブロック番号毎に温度データの平均値を求める。温度管理部３３は、求めた温度データの平均値である平均温度データと、その平均温度データに対応するブロック番号との組データを体感温度管理部３９及び空調機管理部４１に供給する。
【００４９】
温度センサー部１０１−１は、温度センサー２０１と、信号処理部２０３とを備える。温度センサー２０１は、例えば、複数のサーミスタで形成され、温度変化に応じて変動した抵抗値がアナログ信号として信号処理部２０３に供給される。信号処理部２０３は、ＬＰＦ（Ｌｏｗ  Ｐａｓｓ  Ｆｉｌｔｅｒ）３０１、増幅器３０３、及びＡ／Ｄ変換器３０５を備える。温度センサー２０１から供給されたアナログ信号はＬＰＦ３０１に供給される。ＬＰＦ３０１はノイズ成分を除去したアナログ信号を増幅器３０３に供給する。増幅器３０３は、ＬＰＦ３０１から供給されたアナログ信号を増幅し、Ａ／Ｄ変換器３０５に供給する。Ａ／Ｄ変換器３０５は、増幅器３０３から供給されたアナログ信号をデジタル信号に変換し、ブロック番号と対応させて温度管理部３３に供給する。また、上記で説明した温度センサー部１０１−１〜１０１−Ｎの構成は一例を示し、特にこれに限定しない。
【００５０】
なお、温度センサー部１０１−２〜１０１−Ｎについては、温度センサー部１０１−１と同様の機能構成であるため、その説明については省略する。また、温度データとブロック番号との組データは、温度管理部３３の管理外に設けられる機器から取得してもよく、図示しないリモートコントローラーから取得してもよい。また、温度データとブロック番号とは同時に温度管理部３３に供給されなくても、互いにずれた時間で供給されてもよい。
【００５１】
図６は、本発明の実施の形態１における湿度管理部３５の入出力データ例を示す図である。湿度管理部３５は、管理している機器から取得した湿度情報を管理するものである。ここで、湿度センサー部１１１−１〜１１１−Ｎ（Ｎは自然数）は、湿度管理部３５が管理している機器であると想定する。図６に示すように、湿度管理部３５は、湿度センサー部１１１−１〜１１１−Ｎから供給される湿度データとブロック番号との組データを取得する。湿度管理部３５は、湿度データとブロック番号とが供給された場合、ブロック番号毎に湿度データの平均値を求める。湿度管理部３５は、求めた湿度データの平均値である平均湿度データと、その平均湿度データに対応するブロック番号との組データを空調機管理部４１に供給する。
【００５２】
湿度センサー部１１１−１は、湿度センサー２１１と、信号処理部２１３とを備える。湿度センサー２１１は、例えば、上部電極と、下部電極と、高分子感湿剤とを備えた静電容量式湿度センサーの複数組で形成され、湿度変化に応じて上部電極と下部電極との間に設けられた高分子感湿剤の静電容量が変動した結果がアナログ信号として信号処理部２１３に供給される。信号処理部２１３は、ＬＰＦ（Ｌｏｗ  Ｐａｓｓ  Ｆｉｌｔｅｒ）３１１、増幅器３１３、及びＡ／Ｄ変換器３１５を備える。湿度センサー２１１から供給されたアナログ信号はＬＰＦ３１１に供給される。ＬＰＦ３１１はノイズ成分を除去したアナログ信号を増幅器３１３に供給する。増幅器３１３は、ＬＰＦ３１１から供給されたアナログ信号を増幅し、Ａ／Ｄ変換器３１５に供給する。Ａ／Ｄ変換器３１５は、増幅器３１３から供給されたアナログ信号をデジタル信号に変換し、ブロック番号と対応させて湿度管理部３５に供給する。
【００５３】
なお、湿度センサー部１１１−２〜１１１−Ｎについては、湿度センサー部１１１−１と同様の機能構成であるため、その説明については省略する。また、湿度データとブロック番号との組データは、湿度管理部３５の管理外に設けられる機器から取得してもよく、図示しないリモートコントローラーから取得してもよい。また、湿度データとブロック番号とは同時に湿度管理部３５に供給されなくても、互いにずれた時間で供給されてもよい。また、上記で説明した湿度センサー部１１１−１〜１１１−Ｎの構成は一例を示し、特にこれに限定しない。
【００５４】
図７は、本発明の実施の形態１における日射量管理部３７の入出力データ例を示す図である。日射量管理部３７は、管理している機器から取得した日射量情報を管理するものである。ここで、照度センサー部１２１−１〜１２１−Ｎ（Ｎは自然数）は、日射量管理部３７が管理している機器であると想定する。
【００５５】
照度センサー部１２１−１は、照度センサー２２１と、信号処理部２２３とを備える。照度センサー２２１は、例えば、複数のフォトダイオードで形成され、複数のフォトダイオードの検出結果がアナログ信号として信号処理部２２３に供給される。信号処理部２２３は、ＬＰＦ（Ｌｏｗ  Ｐａｓｓ  Ｆｉｌｔｅｒ）３２１、増幅器３２３、及びＡ／Ｄ変換器３２５を備える。照度センサー２２１から供給されたアナログ信号はＬＰＦ３２１に供給される。ＬＰＦ３２１はノイズ成分を除去したアナログ信号を増幅器３２３に供給する。増幅器３２３は、ＬＰＦ３２１から供給されたアナログ信号を増幅し、Ａ／Ｄ変換器３２５に供給する。Ａ／Ｄ変換器３２５は、増幅器３２３から供給されたアナログ信号をデジタル信号に変換し、ブロック番号と対応させて日射量管理部３７に供給する。
【００５６】
なお、照度センサー部１２１−２〜１２１−Ｎは、照度センサー部１２１−１と同様の機能構成であるため、その説明については省略する。また、照度データ（電圧値）とブロック番号との組データは、日射量管理部３７の管理外に設けられる機器から取得してもよく、図示しないリモートコントローラーから取得してもよい。また、照度データ（電圧値）とブロック番号との組データは、時間帯と天候とに基づいて予め設定される固定値であってもよい。また、照度データ（電圧値）と、ブロック番号とは、同時でなくても、互いにずれた時間で日射量管理部３７に供給されてもよい。また、上記で説明した照度センサー部１２１−１〜１２１−Ｎの構成は一例を示し、特にこれに限定しない。
【００５７】
日射量管理部３７は、閾値判定部１３１、照度／温度変換部１３２、及び変換テーブル１３３を備える。閾値判定部１３１は、取得した照度データの平均値が予め設定された閾値を超えているか否かを判定し、超えている場合には、照度／温度変換部１３２で照度データの平均値を温度データに変換する。具体的には、この判定に用いる閾値は、取得した照度データの平均値が直射日光に相当するものであるか否かを判定する値に設定される。この判定処理で、照度センサ部１２１−１〜１２１−Ｎを用いて直射日光に関するデータを抽出することができる。照度／温度変換部１３２は、変換テーブル１３３を参照し、閾値判定部１３１で、予め設定された閾値を超えている照度データの平均値に対応した温度データを抽出する。変換テーブル１３３は、照度と、温度とが紐付けされたものであり、照度が所定の範囲のものが、それに対応した温度に変換されるように対応付けがされている。
【００５８】
ここで、照度センサー部１２１−１〜１２１−Ｎは、日射量管理部３７が管理している機器であると想定する。図７に示すように、日射量管理部３７は、照度センサー部１２１−１〜１２１−Ｎから供給される照度データ（電圧値）とブロック番号との組データを取得する。日射量管理部３７は、照度データ（電圧値）とブロック番号とが供給された場合、ブロック番号毎に照度データの平均値を求める。次に、閾値判定部１３１は、求めた照度データの平均値が予め定めた閾値を超えているか否かを判定する。次に、照度／温度変換部１３２は、閾値判定部１３１の結果と、変換テーブル１３３とに基づいて、照度データを温度データに変換する。日射量管理部３７は、求めた温度データである平均日射量データ（温度）と、その平均日射量データに対応するブロック番号との組データを体感温度管理部３９に供給する。なお、照度センサー２２１を形成するフォトダイオードが、直射日光に相当する波長領域のみを検知するもので形成されれば、上記で説明した閾値判定部１３１の処理は不要となる。また、上記で説明した日射量管理部３７の構成は一例を示し、特にこれに限定しない。
【００５９】
図８は、本発明の実施の形態１における体感温度管理部３９の入出力データ例を示す図である。体感温度管理部３９は、空調位置管理部３１、温度管理部３３、湿度管理部３５、及び日射量管理部３７から取得した各種データと、操作部２５又は空調制御装置２３から取得した各種データとに基づいて、体感温度データを求める。体感温度管理部３９は、体感温度データに基づいて目標温度データを求め、体感温度データ又は目標温度データを管理する。
【００６０】
体感温度管理部３９は、体感温度演算部１４１と、目標体感温度演算部１４２と、目標温度演算部１４３とを備える。体感温度演算部１４１は、平均温度データと、平均温度データに対応したブロック番号とを取得する。体感温度演算部１４１は、予め設定された設定値である湿度データを取得する。体感温度演算部１４１は、平均日射量データ（温度データ）と、平均日射量データ（温度データ）に対応したブロック番号とを取得する。体感温度演算部１４１は、取得した各種データに基づいて体感温度データを求める。
【００６１】
具体的には、体感温度管理部３９は、次式に表されたミスナールの式（１）に基づいて体感温度を算出する。
【００６２】
Ｍ＝ｔ−１／２．３×（ｔ−１０）×（０．８−ｈ／１００）＋α      （１）
【００６３】
ここで、Ｍは体感温度℃、ｔは温度℃、ｈは湿度％、αは日射量から求めた温度℃をそれぞれ表すものとする。例えば、式（１）において、ｔには平均温度データ、ｈには予め設定された設定値である湿度データ、αには平均日射量データ（温度データ）がそれぞれ設定された場合、体感温度Ｍ℃が演算され、体感温度データが、該当するブロック番号と共に目標体感温度演算部１４２に供給される。
なお、ミスナールの式以外で体感温度が演算されてもよい。例えば、式（２）で表されたリンケの式で体感温度が設定されてもよい。
【００６４】
Ｌ＝ｔ−４×√ｖ      （２）
【００６５】
ここで、Ｌは体感温度℃、ｔは温度℃、ｖは風速ｍ／ｓをそれぞれ表すものとする。例えば、式（２）において、ｔには平均温度データが設定され、ｖには図示しない風速計で求めた風速データが設定された場合、体感温度Ｌ℃が演算され、体感温度データが、該当するブロック番号と共に目標体感温度演算部１４２に供給される。
【００６６】
目標体感温度演算部１４２は、体感温度データと、体感温度補正値データとに基づいて目標体感温度データを演算し、目標体感温度データと、該当するブロック番号とを目標温度演算部１４３に供給する。例えば、現在の体感温度が２０℃であったと想定し、現在の体感温度と比較して２℃上げた値が目標体感温度として設定される場合、体感温度補正値データには２℃が設定され、目標体感温度データは２０℃と２℃との加算結果である２２℃が演算され、目標温度データが、該当するブロック番号と共に目標温度演算部１４３に供給される。また、例えば、現在の体感温度が２０℃であったと想定し、現在の体感温度と比較して２℃下げた値が目標体感温度として設定される場合、体感温度補正値データには−２℃が設定され、目標体感温度データは２０℃と−２℃との加算結果である１８℃が演算され、目標温度データが、該当するブロック番号と共に目標温度演算部１４３に供給される。要するに、目標体感温度は次に表される式（３）に基づいて求められる。
【００６７】
目標体感温度＝体感温度（Ｍ）＋体感温度補正値（β）      （３）
【００６８】
目標温度演算部１４３は、目標体感温度データに基づいて、次に表される式（４）に基づいて目標温度データを算出する。
【００６９】
Ｔ＝（２．３×Ｒ−３）／２      （４）
【００７０】
ここで、Ｔは目標温度、Ｒは目標体感温度をそれぞれ表すものとする。例えば、式（４）のＲには目標体感温度データが設定された場合、目標温度Ｔ℃が演算され、目標温度データが、該当するブロック番号と共に空調機管理部４１に供給される。
【００７１】
図９は、本発明の実施の形態１における空調機管理部４１の入出力データ例を示す図である。空調機管理部４１は、空調管理装置１１が管理している室外ユニット７１及び室内ユニット８１の運転データを管理する。例えば、運転データは、運転開始指令、運転停止指令、冷暖房の制御区分を表すデータ、風速データ、風量データ、目標温度データ、及び加湿制御を表すデータ等である。空調機管理部４１は、空調機通信管理部４３と接続され、これらの運転データを供給する。空調機管理部４１は、切替指令に基づいて、省エネ制御モードと、快適性制御モードとの何れかを選択し、それらに対応する各種信号を空調機通信管理部４３に供給する。
【００７２】
なお、切替指令は、空調管理装置１１に切替指令タイミングが設定されるものであってもよい。この場合には、例えば、空調管理装置１１には、電力が逼迫する時間帯には省エネ制御モードが選択されるように切替指令が設定され、それ以外の時間帯には快適性制御モードが選択されるように切替指令が設定されていてもよい。また、図示しない人感センサーが室内ユニット８１に設けられ、室内ユニット８１から人感センサーの検知結果が空調管理装置１１に送信された場合には、その人感センサーの検知結果に応じて切替指令が設定されてもよい。この場合には、人感センサーの検知結果が人の不在を示すときには省エネモード制御が選択されるように切替指令が設定され、人感センサーの検知結果が人の在室を示すときには快適性制御モードが選択されるように切替指令が設定されてもよい。また、長期的な運転スケジュールが設定されることで切替指令が設定されてもよい。例えば、夏場と冬場においては、省エネ制御モードが選択されるように切替指令が設定され、それ以外においては、快適性制御モードが選択されるように切替指令が設定されてもよい。また、デフォルトでは省エネ制御モードが選択されるように切替指令が設定され、外部からの指令、例えば、スマートフォン等からの機器から制御指令が到来した場合には快適性制御モードが選択されるように切替指令が設定されてもよい。何れにおいても、切替指令の設定は、特に限定するものではない。
【００７３】
空調機管理部４１は、制御切替部１５１、省エネ制御部１５３、及び快適性制御部１５５を備える。制御切替部１５１は、切替指令に基づいて、省エネ制御部１５３又は快適性制御部１５５の何れを稼働させるかを選択する。空調機管理部４１は、平均温度データと、平均温度データに対応したブロック番号を取得する。空調機管理部４１は、平均湿度データと、平均湿度データに対応したブロック番号を取得する。空調機管理部４１は、予め設定された設定値である温度データを取得する。空調機管理部４１は、予め設定された設定値である湿度データを取得する。空調機管理部４１は、目標温度データを取得する。
【００７４】
省エネ制御部１５３は、湿度制御第１判定部１６３を備え、平均温度データに基づいて加湿制御をするか否かを判定する。例えば、平均温度データが１０℃未満の場合には加湿制御を行う湿度制御は実行されず、平均温度データが１０℃以上の場合には加湿制御を行う湿度制御が実行される。この場合、１０℃が後述する加湿第１閾値に相当する。
【００７５】
快適性制御部１５５は、湿度制御第２判定部１６５を備え、平均湿度データに基づいて加湿制御をするか否かを判定する。例えば、平均湿度データが５０％未満の場合には加湿制御を行う湿度制御は実行され、平均湿度データが５０％以上の場合には加湿制御を行う湿度制御が実行されない。この場合、５０％が後述する加湿第２閾値に相当する。
【００７６】
空調機管理部４１は、温度指令値と、温度指令値に該当するブロック番号とを空調機通信管理部４３に供給する。空調機管理部４１は、湿度制御第１判定部１６３又は湿度制御第２判定部１６５の判定結果に基づいて、湿度制御フラグと、湿度指令値とを空調機通信管理部４３に供給する。なお、湿度制御フラグは、例えば、湿度制御を行う場合には、１が設定される。
【００７７】
空調機通信管理部４３は、空調管理装置１１が管理している室外ユニット７１及び室内ユニット８１に各種信号の伝達を行うものである。例えば、空調機通信管理部４３は、空調管理装置１１から供給される各種信号を所定の形式のデータに変換して室外ユニット７１及び室内ユニット８１に供給する。また、図示は省略しているが、空調機通信管理部４３は、空調管理装置１１が管理対象にある室外ユニット及び室内ユニット８１から供給される各種信号を所定の形式のデータに変換して空調機管理部４１に供給する。なお、所定の形式のデータは、例えば、空調管理装置１１と、空調機１０とで予め設定された通信プロトコルに準拠したものであればよい。
【００７８】
次に、省エネ制御モードと、快適性制御モードとの詳細について図１０を用いてそれぞれ説明する。
【００７９】
図１０は、本発明の実施の形態１における省エネ制御及び快適性制御に用いる各種制御パラメータの一例を示す図である。図１０に示すように、省エネ制御パラメータは、ブロック番号毎に設定されている。例えば、ブロック番号０１の省エネ制御パラメータのうち、入力パラメータには、平均温度データ、平均湿度データ、予め設定された設定値である湿度データ、及び目標温度データが設定されている。また、ブロック番号０１の省エネ制御パラメータのうち、出力パラメータには、目標温度データが温度指令値として設定され、予め設定された設定値として湿度データが湿度指令値として設定される。湿度指令値が出力されるか否かは湿度制御フラグで判断されるが、湿度制御フラグは、上記で説明したように平均温度データに基づいて設定される。なお、この場合の湿度データは、例えば、５０％であるが、特にこれに限定せず、ユーザーによって設定されてもよい。また、他のブロック番号の省エネ制御パラメータは、ブロック番号０１と同様であるので、その説明については省略する。
【００８０】
また、図１０に示すように、快適性制御パラメータは、ブロック番号毎に設定されている。例えば、ブロック番号０１の快適性制御パラメータのうち、入力パラメータには、平均湿度データ、予め設定された設定値として温度データが設定されている。また、ブロック番号０１の快適性制御パラメータのうち、出力パラメータには、予め設定された設定値として温度データが温度指令値として設定され、予め設定された設定値として湿度データが湿度指令値として設定される。湿度指令値が出力されるか否かは湿度制御フラグで判断されるが、湿度制御フラグは、上記で説明したように平均湿度データに基づいて設定される。なお、この場合の温度指令値及び湿度指令値はユーザーに設定されるものでもよく、予め快適と想定される値が設定されていてもよい。
【００８１】
上記で説明したように、温度制御に加えて湿度制御を行うことで、目標温度の変化幅を大きくさせることができる。このため、消費電力を抑制した省エネルギー制御を行うことができる。また、目標温度の変化幅を大きくさせなかったとしても、体感温度の低下を抑制させる制御を行うため、快適性の低下を抑制することができる。なお、上記で説明した各種数値例及びフラグ例等は一例を示すだけであり、特にこれに限定しない。次に、上記の構成を前提として、本実施の形態の空気調和システム１の動作例について図１１を用いて説明する。
【００８２】
図１１は、本発明の実施の形態１における空調管理装置１１と空調機１０との連携制御例を説明するフローチャートである。なお、以降で説明するステップＳ１１〜ステップＳ２６は空調管理装置１１の処理に関するものであり、ステップＳ４１〜ステップＳ４６は空調機１０の処理に関するものである。
【００８３】
（空調管理装置１１の処理について）
（ステップＳ１１）
空調管理装置１１は、切替指令が有るか否かを判定する。空調管理装置１１は、例えば、空調機管理部４１に切替指令が有るか否かを判定させる。空調機管理部４１は、切替指令が有る場合、ステップＳ１２に進む。一方、空調機管理部４１は、切替指令が無い場合、ステップＳ１１へ戻る。
【００８４】
（ステップＳ１２）
空調管理装置１１は、制御種類が何れであるかを判定する。空調管理装置１１は、例えば、空調機管理部４１に制御種類が何れであるかを判定させる。空調機管理部４１は、制御種類が省エネ制御指令である場合、ステップＳ１３に進む。一方、空調機管理部４１は、制御種類が快適性制御指令である場合、ステップＳ２０に進む。
【００８５】
（ステップＳ１３）
空調管理装置１１は、現在の体感温度を演算する。例えば、空調管理装置１１は、上記で説明したように、体感温度管理部３９がミスナールの式（１）に基づいて体感温度データを演算する。
【００８６】
（ステップＳ１４）
空調管理装置１１は、体感温度補正値を取得する。例えば、空調管理装置１１は、操作部２５から入力された体感温度補正値を取得する。なお、空調管理装置１１は、空調機通信管理部４３を介して空調機１０から体感温度補正値を取得してもよい。
【００８７】
（ステップＳ１５）
空調管理装置１１は、目標体感温度を演算する。例えば、空調管理装置１１は、上記で説明したように、体感温度データと、体感温度補正値データとに基づいて目標体感温度データを演算する。
【００８８】
（ステップＳ１６）
空調管理装置１１は、目標温度を演算する。例えば、空調管理装置１１は、上記で説明したように、目標体感温度データと、式（４）とに基づいて目標温度データを演算する。
【００８９】
（ステップＳ１７）
空調管理装置１１は、目標温度フラグを１に設定する。目標温度フラグは、目標温度に基づいて温度制御を行うか否かを判定するフラグである。
【００９０】
（ステップＳ１８）
空調管理装置１１は、温度データを取得する。空調管理装置１１は、例えば、温度管理部３３が管理する機器からブロック毎に温度データを取得する。
【００９１】
（ステップＳ１９）
空調管理装置１１は、温度データが加湿第１閾値以上であるか否かを判定する。空調管理装置１１は、例えば、空調機管理部４１に温度データが加湿第１閾値以上であるか否かを判定させる。空調機管理部４１は、温度データが加湿第１閾値以上である場合、ステップＳ２４に進む。一方、空調機管理部４１は、温度データが加湿第１閾値以上でない場合、ステップＳ２５に進む。
【００９２】
（ステップＳ２０）
空調管理装置１１は、設定された温度データを取得する。空調管理装置１１は、例えば、操作部２５から温度データが設定されている場合にはその設定された温度データを取得する。また、空調管理装置１１は、例えば、空調機１０から空調機通信管理部４３を介して設定された温度データが供給されている場合にはその供給された温度データを取得する。
【００９３】
（ステップＳ２１）
空調管理装置１１は、設定温度フラグを１に設定する。設定温度フラグは、設定された温度データに基づいて温度制御を行うか否かを判定するフラグである。
【００９４】
（ステップＳ２２）
空調管理装置１１は、湿度データを取得する。空調管理装置１１は、例えば、湿度管理部３５が管理する機器からブロック毎に湿度データを取得する。
【００９５】
（ステップＳ２３）
空調管理装置１１は、湿度データが加湿第２閾値未満であるか否かを判定する。空調管理装置１１は、例えば、空調機管理部４１に湿度データが加湿第２閾値未満であるか否かを判定させる。空調機管理部４１は、湿度データが加湿第２閾値未満である場合、ステップＳ２４に進む。一方、空調機管理部４１は、湿度データが加湿第２閾値未満でない場合、ステップＳ２５に進む。
【００９６】
（ステップＳ２４）
空調管理装置１１は、湿度制御フラグを１に設定する。湿度制御フラグは、湿度制御を行うか否かを判定するフラグである。
【００９７】
（ステップＳ２５）
空調管理装置１１は、全てのブロックについて確認したか否かを判定する。空調管理装置１１は、全てのブロックについて確認していない場合、ステップＳ１２へ戻り、別ブロックの各種データについて、ステップＳ１２〜ステップＳ２４の処理を繰り返し実行する。一方、空調管理装置１１は、全てのブロックについて確認した場合、ステップＳ２６に進む。
【００９８】
（ステップＳ２６）
空調管理装置１１は、各種制御パラメータを送信する。空調管理装置１１は、例えば、管理している空調機１０へ上記で説明した各種フラグ等を送信し、処理を終了する。
【００９９】
（空調機１０の処理について）
（ステップＳ４１）
空調機１０は、目標温度フラグが１であるか否かを判定する。例えば、同一ブロック内にある室内ユニット８１−１〜８１−３は、目標温度フラグが１であるか否かを判定する。室内ユニット８１−１〜８１−３は、目標温度フラグが１である場合、ステップＳ４２に進む。一方、室内ユニット８１−１〜８１−３は、目標温度フラグが１でない場合、ステップＳ４３に進む。
【０１００】
（ステップＳ４２）
空調機１０は、目標温度に基づいて温度制御を行う。例えば、室内ユニット８１−１〜８１−３は、上記で説明したように目標温度データに基づいて温度制御を行う。
【０１０１】
（ステップＳ４３）
空調機１０は、設定温度フラグが１であるか否かを判定する。例えば、同一ブロック内にある室内ユニット８１−１〜８１−３は、設定温度フラグが１であるか否かを判定する。室内ユニット８１−１〜８１−３は、設定温度フラグが１である場合、ステップＳ４４に進む。一方、室内ユニット８１−１〜８１−３は、設定温度フラグが１でない場合、ステップＳ４５に進む。
【０１０２】
（ステップＳ４４）
空調機１０は、設定温度に基づいて温度制御を行う。例えば、室内ユニット８１−１〜８１−３は、上記で説明したように設定温度データに基づいて温度制御を行う。
【０１０３】
（ステップＳ４５）
空調機１０は、湿度制御フラグが１であるか否かを判定する。例えば、同一ブロック内にある室内ユニット８１−１〜８１−３は、湿度制御フラグが１であるか否かを判定する。室内ユニット８１−１〜８１−３は、湿度制御フラグが１である場合、ステップＳ４６に進む。一方、室内ユニット８１−１〜８１−３は、湿度制御フラグが１でない場合、処理を終了する。
【０１０４】
空調機１０は、加湿制御を行い、処理を終了する。なお、上記の説明ではブロック番号００１に相当する室内ユニット８１−１〜８１−３について説明したが、他ブロック番号に相当する室内ユニット８１についても同様の処理が実行される。また、上記で説明した各種フラグは一例を示し、特にこれに限定しない。
【０１０５】
なお、ステップＳ１１〜ステップＳ２６の処理と、ステップＳ４１〜ステップＳ４６の処理とを、シリアルに実行しても、パラレルに実行してもよい。また、ステップＳ４１及びステップＳ４２の処理と、ステップＳ４３及びステップＳ４４の処理と、ステップＳ４５及びステップＳ４６の処理とを、シリアルに実行しても、パラレルに実行してもよい。
【０１０６】
つまり、本実施の形態の動作を行うプログラムを記述するステップは、記載された順序に沿って時系列的に行われる処理はもちろん、必ずしも時系列的に処理されなくとも、並列的あるいは個別に実行される処理をも含む。
【０１０７】
上記で説明したように、空調制御装置２３は、省エネ制御指令又は快適性制御指令を空調機１０に供給する。空調機１０は、空調制御装置２３からの制御指令に基づいて、体感温度から求めた目標温度に基づいた温度制御を行う。また、空調機１０は、ユーザー等で設定された設定温度に基づいて温度制御を行う場合もある。また、空調機１０は、湿度制御を行う場合には加湿制御を行う。
【０１０８】
空調機１０が加湿制御をするか否かは、省エネ制御指令の場合にはブロック毎にブロック内での温度の検知結果に基づいて判定される。具体的には、省エネ制御指令では、体感温度に基づいた目標温度で制御が行われ、実際の温度に基づいて湿度制御が決定された場合にはユーザー等に設定される設定湿度で湿度制御も行われる。
【０１０９】
また、空調機１０が加湿制御をするか否かは、快適性制御指令の場合にはブロック毎にブロック内での湿度の検知結果に基づいて判定される。具体的には、快適性制御指令では、ユーザー等に設定された設定温度で温度制御が行われ、実際の湿度に基づいて湿度制御が決定された場合にはユーザー等に設定される設定湿度で湿度制御も行われる。
【０１１０】
したがって、省エネ制御時には、予め設定されたブロック毎、すなわち、空調対象空間を複数の小区間に設定し、その小区間毎に体感温度に基づいて目標温度が決定されるため、快適性の低下を抑制させることができる。省エネ制御時及び快適性制御時の何れの場合にも、予め設定されたブロック毎、すなわち、小区間毎に条件に応じて加湿制御が行われるため、快適性の低下を抑制させることができる。
【０１１１】
換言すれば、空調対象空間を複数の小区間に設定し、小区間毎に求めた体感温度に基づいて制御目標値を補正することで、省エネ運転を行いつつ、快適性の低下を抑制することができるという効果を有する。
【０１１２】
以上、本実施の形態１においては、少なくとも１台の室外ユニットと、複数台の室内ユニットとを備える空調機１０を制御する空調管理装置１１であって、複数台の室内ユニットの空調対象空間を複数の小区間に設定し、複数台の室内ユニットの位置を小区間毎に管理する空調位置管理部３１と、少なくとも、小区間のそれぞれで検知された温度である小区間検知温度及び小区間のそれぞれで検知された湿度である小区間検知湿度、又は、小区間検知温度及び小区間のそれぞれで検知された風速である小区間検知風速、に基づいて体感温度を求め、体感温度に基づいて目標温度を求める体感温度管理部３９と、目標温度に基づいて温度制御指令を生成する空調制御装置２３とを備え、空調制御装置２３は、小区間検知温度又は小区間検知湿度に基づいて、湿度制御指令を生成し、湿度制御指令及び温度制御指令を空調機１０に供給する空調管理装置１１が提供される。
【０１１３】
よって、上記の構成のため、省エネ運転を行いつつ、快適性の低下を抑制することができる。
【符号の説明】
【０１１４】
１  空気調和システム、１０  空調機、１１  空調管理装置、２１  省エネ制御装置、２３  空調制御装置、２５  操作部、２７  表示部、３１  空調位置管理部、３３  温度管理部、３５  湿度管理部、３７  日射量管理部、３９  体感温度管理部、４１  空調機管理部、４３  空調機通信管理部、７１、７１−１、７１−２  室外ユニット、８１、８１−１〜８１−１０  室内ユニット、１０１、１０１−１〜１０１−Ｎ  温度センサー部、１１１、１１１−１〜１１１−Ｎ  湿度センサー部、１２１、１２１−１〜１２１−Ｎ  照度センサー部、１３１  閾値判定部、１３２  照度／温度変換部、１３３  変換テーブル、１４１  体感温度演算部、１４２  目標体感温度演算部、１４３  目標温度演算部、１５１  制御切替部、１５３  省エネ制御部、１５５  快適性制御部、１６３  湿度制御第１判定部、１６５  湿度制御第２判定部、２０１  温度センサー、２０３、２１３、２２３  信号処理部、２１１  湿度センサー、２２１  照度センサー、３０１、３１１、３２１  ＬＰＦ、３０３、３１３、３２３  増幅器、３０５、３１５、３２５  Ａ／Ｄ変換器。
【図１】
2014105966.tif 000003
【図２】
2014105966.tif 000004
【図３】
2014105966.tif 000005
【図４】
2014105966.tif 000006
【図５】
2014105966.tif 000007
【図６】
2014105966.tif 000008
【図７】
2014105966.tif 000009
【図８】
2014105966.tif 000010
【図９】
2014105966.tif 000011
【図１０】
2014105966.tif 000012
【図１１】
2014105966.tif 000013